(57)【要約】【課題】視覚障害者のうちで音声による案内を必要とする人だけを案内できる装置を提供することにある。【解決手段】所定の音声を記録した記録装置と、記録された音声の再生を起動信号に基づいて制御する制御回路と、制御回路の指示信号に基づいて再生された記録装置の音声を拡声するスピーカーとを備える音声案内装置おいて、上記起動信号を入力する音声ボタンを備えることを特徴とする。この音声案内装置によれば、人が音声ボタンを押すことにより初めて音声による案内がされるため、センサーとセンサー回路が不要であるし、電力の浪費が抑制される。従って、電源として電池を利用することができるし、センサー、外部取り付けのスピーカー及び電源と制御回路との配線も１箇所に集約できる。【選択図】図１
2004013751.tif 000002
【特許請求の範囲】
【請求項１】
所定の音声を記録した記録装置と、記録された音声の再生を起動信号に基づいて制御する制御回路と、制御回路の指示信号に基づいて再生された記録装置の音声を拡声するスピーカーとを備える音声案内装置おいて、
上記起動信号を入力する音声ボタンを備えることを特徴とする音声案内装置。
【請求項２】
記録装置、制御回路及びスピーカーを収納し、手摺に取り付け可能なケースを更に備え、前記音声ボタンは、ケースが手摺に取り付けられたときにケースの壁側の面に設けられている請求項１に記載の音声案内装置。
【請求項３】
前記制御回路の電源が電池である請求項１に記載の音声案内装置。
【発明の詳細な説明】
【０００１】
【発明の属する技術分野】
この発明は、音声案内装置、特に視覚障害者向けに好適に利用される手摺用音声案内装置に関する。
【０００２】
【従来の技術】
視覚障害者を案内する装置として、音声が使われているものが一般に知られている。通常、この音声案内装置は、人を感知するセンサーと、所定の音声を記録する記憶装置と、センサーから送られた信号を受け取り記憶装置に音声を再生させる回路と、再生された音声を受け取り拡声するスピーカーとで構成されている。センサーは、超音波や赤外線等を利用して、人が設定された範囲の場所に入ったときに、信号が回路に送られる構成になっている。このようにして、視覚障害者に所定の案内が音声によってなされていた。
【０００３】
【発明が解決しようとする課題】
上記従来の音声案内装置は、センサーの感知範囲の調整や感度の設定をする必要があり、前記性質上装置本体とは別の場所に設置しなければならない。センサー用の回路も必要であり、電源等の配線もしなければならない。また、センサーに応じて案内する場合、視覚障害者だけでなく、その感知範囲に視覚障害者以外の人や物などが入っても音声案内をするために案内不要の時など騒がしく感じられる。また常にその場所に出入りしていて、案内の不要な視覚障害者にとっても、同様である。
それ故、この発明の課題は、視覚障害者のうちで音声による案内を必要とする人だけを案内できる装置を提供することにある。
【０００４】
【課題を解決するための手段】
上記課題を解決するために、この発明の音声案内装置は、
所定の音声を記録した記録装置と、記録された音声の再生を起動信号に基づいて制御する制御回路と、制御回路の指示信号に基づいて再生された記録装置の音声を拡声するスピーカーとを備える音声案内装置おいて、
上記起動信号を入力する音声ボタンを備えることを特徴とする。
【０００５】
この音声案内装置によれば、人が音声ボタンを押すことにより初めて音声による案内がされるため、センサーとセンサー回路が不要であるし、電力の浪費が抑制される。従って、電源として電池を利用することができるし、センサー、外部取り付けのスピーカー及び電源と制御回路との配線も１箇所に集約できる。
記録装置、制御回路及びスピーカーを収納し、手摺に取り付け可能なケースを更に備え、前記音声ボタンは、ケースが手摺に取り付けられたときにケースの壁側の面に設けられていると好ましい。
【０００６】
【発明の実施の形態】
この発明の実施形態を図面とともに説明する。図１は、本発明品の実施形態を表す正面図である。図２は、本発明品の実施形態を表す底面図である。図３は本発明品の実施形態を表す右側面図である。図４は、本発明の実施形態を表すシステム構成図である。図５は、本発明品の使用例を表す状態図である。
【０００７】
音声案内装置１は、円筒状の手摺１２の外周面に取り付けられ、ステンレス製のケース９を有している。ケース９は、手摺に沿って長い直方体形状に形成されて、手摺１２側の面が開放されている。その長手方向両端面の上縁は、円筒状の手摺１２に密着するように円弧状に切り欠かれている。また、前記円弧状に切り欠きされた両端面には、Ｌ型の取り付けブラケット１０が溶接されている。この取り付けブラケット１０のケース９に溶接されてない方の面には、ビス用の穴が開けられている。ケース９の内部には、制御回路３、スピーカー４及び電池７が収納されている。ケース９の正面ａには音声ボタン２が、ケース９の底面ｂには、電池確認ボタン６及び電池残量ライト５が各々取り付けられている。そして、底面ｂには、電池交換用の長方形状の穴が設けてあり、その穴の短辺にヒンジを介し電池挿入口扉８が摺動可能に固定されている。この電池挿入口扉８は、通常は止めビス１４により閉められているが、電池交換時にはビス１４を外して開けるようになっている。
【０００８】
図４にも示されるように、制御回路３は、記憶装置１５、音声ボタン２、スピーカー４、電池確認ボタン６、電池残量ライト５及び電池７と電気的に接続されている。制御回路３は、音声ボタン２が押されることにより起動信号を受け、記憶装置１５に記憶された音声を再生させ、スピーカー４に送る。音声をうけとったスピーカー４は、所定の案内を拡声する。電池残量ライト５は、電池確認ボタン６が押されることにより電気が流れて光り、電池７の残量を知らすことができる。この実施形態の電池残量ライト５は、ＬＥＤタイプのものが使われている。
【０００９】
次に、この音声案内装置１の設置例及び使用例について説明する。この音声案内装置１は、電車の駅など公共性の高い場所などに設置される。図３に示されるように、この音声案内装置１は、手摺１２に巻かれてある点字標示板１３を手摺１２とともに挟むように、且つ手摺１２の下側に、音声ボタン２が壁側を向くように取り付けられている。手摺１２は通路の壁などに設置され、音声案内装置１は音声の案内をおこないたい場所の手摺１２に取り付けられる。視覚障害者は、通路の手摺１２を道案内として歩いてきたときに、点字標示板１３に触れる。点字標示板１３の壁側の表面には点字の案内がされていて、視覚障害者は手によってその点字を読む。視覚障害者は、音声案内装置１が点字標示板１３と一緒にあるため、その音声案内装置１が視覚障害者用の装置と気がつき、その音声案内装置１の音声ボタン２を指により探りあて、音声ボタン２を押す。そして、音声案内装置１は、所定の音声案内を始める。
【００１０】
尚、音声ボタン２は、ケース９の壁側の面に設けられているので、晴眼者の目障りとならない。また、電池確認ボタン６はケース９の底面に設けられているので、視覚障害者が強いて触れることもない。
以上のように、この音声案内装置１は、人が音声ボタン２を押すことにより初めて音声による案内をするため、視覚障害者が必要な時だけ案内することができる。また、センサー、外部取り付けのスピーカー及び電源と音声案内装置本体との配線が必要ないため、コンパクトに作ることができる。そして、配線工事が不要のため、既設の設備にも簡単に取り付けすることができる。
【００１１】
【発明の効果】
この発明の音声案内装置によれば、音声ボタンを押すことにより音声の案内がなされるので、必要な人だけを案内できる装置を提供することができる。
【図面の簡単な説明】
【図１】本発明品の実施形態を表す正面図である。
【図２】本発明品の実施形態を表す底面図である。
【図３】本発明品の実施形態を表す右側面図である。
【図４】本発明品の実施形態を表すシステム構成図である。
【図５】本発明品の使用例を表す状態図である。
【符号の説明】
１　音声案内装置
２　音声ボタン
３　制御回路
４　スピーカー
５　電池残量ライト
６　電池確認ボタン
７　電池
８　電池挿入口扉
９　ケース
１０　取り付けブラケット
１１　取り付けビス
１２　手摺
１３　点字標示板
【図１】
2004013751.tif 000003
【図２】
2004013751.tif 000004
【図３】
2004013751.tif 000005
【図４】
2004013751.tif 000006
【図５】
2004013751.tif 000007